(57)【要約】      （修正有）【課題】良質の山芋を栽培することができ、植え付け及び収穫の作業を効率よく行うことができる山芋栽培装置を提供する。【解決手段】筒状体３の両端は開口し、筒状体３の内部には筒状の栽培チューブ９を備え、該筒状体３の全長と該栽培チューブ９の全長とは略同一であり、該栽培チューブ９の一端は該筒状体の一端とは近接し、該筒状体３の一端には、透孔１３を有する蓋部５を着脱自在に嵌合させ、該蓋部５の透孔１３には、一端に新芋受部１７を備えると共に他端に新芋導入孔１５を備えてなる新芋誘導手段７における該新芋導入孔１５が嵌着され、該新芋導入孔１５の端部２１は該栽培チューブ９の内方に達し、該新芋受部１７は、該筒状体９の周方向に沿って湾曲した板状体であって上面に開口１９を備える。【選択図】図２
2020137441.tif 000002
【特許請求の範囲】
【請求項１】
地中に埋設する筒状体の内部で山芋を栽培する山芋栽培装置であって、
該筒状体の両端は開口し、
該筒状体の内部には筒状の栽培チューブを備え、
該筒状体の全長と該栽培チューブの全長とは略同一であり、
該栽培チューブの一端と該筒状体の一端とは相互に近接し、
該栽培チューブの一端と近接する該筒状体の一端には、透孔を有する蓋部を着脱自在に嵌合させ、
該蓋部の透孔には、一端に新芋受部を備えると共に他端に新芋導入孔を備えてなる新芋誘導手段における該新芋導入孔が嵌着され、
該新芋導入孔の端部は該栽培チューブの内方に達し、
該新芋受部は、該筒状体の周方向に沿って湾曲した板状体であって上面に開口を備える
ことを特徴とする山芋栽培装置。
【請求項２】
山芋を栽培する栽培方法であって、
両端が開口した筒状体を、該筒状体の一端を地表から突出させ、他端が低くなるように傾けて地中に埋設する工程と、
該筒状体の全長と略同一の全長を有する筒状の栽培チューブ内に、上限３０質量％、下限８質量％の水を含んだ用土を平板状に充填する工程と、
該用土を充填した栽培チューブの一端と該筒状体の地表面から突出した一端とが近接するように、該筒状体の内部に栽培チューブを挿入する工程と、
該筒状体の地表から突出した一端に透孔を有する蓋部を嵌合させる工程と
一端に新芋受部を備えると共に他端に新芋導入孔を備えてなる新芋誘導手段における該新芋導入孔を該蓋部の透孔に嵌着し、該新芋導入孔の端部が該栽培チューブの内方にまで達するようにする工程と、
該筒状体の周方向に沿って湾曲した板状体であって上面に開口を備える該新芋受部の上方に種芋を植え付ける工程と、
該種芋を栽培土で覆い山芋を栽培する工程とを含むことを特徴とする山芋の栽培方法。
【発明の詳細な説明】
【技術分野】
【０００１】
本発明は、良質の山芋を栽培することができ、植え付け及び収穫の作業を効率よく行うことができる山芋栽培装置及びその装置を用いた栽培方法に関する。本明細書等において山芋とは自然薯、長いもなどを含むものとする。
【背景技術】
【０００２】
従来から種芋を用いて山芋を栽培するための装置は知られている。例えば、特許文献１は、円筒体を地中に埋設し、該円筒体内に用土を充填した栽培袋を挿入し、栽培袋内の用土へ種芋を撒き、種芋を覆うように土をかぶせ、栽培袋内で自然薯を成長させる自然薯の栽培方法及びその栽培に用いる栽培装置が開示されている。
【０００３】
しかしながら、上記自然薯の栽培装置及びその栽培装置を使用した栽培方法は、円筒体の上をビニールシートで覆い円筒体と栽培袋との隙間に覆土が入らないようにしているが、該ビニールシートでは栽培中や収穫時に円筒体内に種芋を覆っている土が入ることを防止するのは困難であり、栽培中の山芋が地中の線虫や病原菌により被害を受けたり、地中に埋設した円筒体を翌年の山芋栽培に使用することが非常に困難になるという問題点がある。
【先行技術文献】
【特許文献】
【０００４】
【特許文献１】特開平１１−７５５３３号公報
【発明の概要】
【発明が解決しようとする課題】
【０００５】
本発明は、良質の山芋を栽培することができ、植え付け及び収穫の作業を効率よく行うことができる山芋栽培装置及び栽培方法を提供する。
【課題を解決するための手段】
【０００６】
上記課題を解決する本発明は次の内容のものである。
【０００７】
地中に埋設する筒状体の内部で山芋を栽培する山芋栽培装置であって、
該筒状体の両端は開口し、
該筒状体の内部には筒状の栽培チューブを備え、
該筒状体の全長と該栽培チューブの全長とは略同一であり、
該栽培チューブの一端と該筒状体の一端とは相互に近接し、
該栽培チューブの一端と近接する該筒状体の一端には、透孔を有する蓋部を着脱自在に嵌合させ、
該蓋部の透孔には、一端に新芋受部を備えると共に他端に新芋導入孔を備えてなる新芋誘導手段における該新芋導入孔が嵌着され、
該新芋導入孔の端部は該栽培チューブの内方に達し、
該新芋受部は、該筒状体の周方向に沿って湾曲した板状体であって上面に開口を備える。
【０００８】
山芋の栽培方法であって、
両端が開口した筒状体を、該筒状体の一端を地表から突出させ、他端が低くなるように傾けて地中に埋設する工程と、
該筒状体の全長と略同一の全長を有する筒状の栽培チューブ内に、上限３０質量％、下限８質量％の水を含んだ用土を平板状に充填する工程と、
該用土を充填した栽培チューブの一端と該筒状体の地表面から突出した一端とが近接するように、該筒状体の内部に栽培チューブを挿入する工程と、
該筒状体の地表から突出した一端に透孔を有する蓋部を嵌合させる工程と
一端に新芋受部を備えると共に他端に新芋導入孔を備えてなる新芋誘導手段における該新芋導入孔を該蓋部の透孔に嵌着し、該新芋導入孔の端部が該栽培チューブの内方にまで達するようにする工程と、
該筒状体の周方向に沿って湾曲した板状体であって上面に開口を備える該新芋受部の上方に種芋を植え付ける工程と、
該種芋を栽培土で覆い山芋を栽培する工程とを含む。
【発明の効果】
【０００９】
本発明の山芋栽培装置は、山芋が成長する栽培チューブの中に栽培土が入ることがほとんどないので、栽培中の山芋が栽培地中の線虫や病原菌により被害を受けることを予防でき、良質の山芋を栽培することができる。筒状体の内部にも栽培土が入ることがほとんどないので、収穫時に山芋が入った栽培袋を該筒状体から容易に引き抜くことができる。そして、該筒状体を埋設したまま翌年の山芋栽培に使用することができ、植え付け及び収穫の作業を効率よく行うことができる。
【図面の簡単な説明】
【００１０】
【図１】本発明の山芋栽培装置の一例を示す斜視図である。
【図２】本発明の山芋栽培装置の一例を示す断面図である。
【図３】本発明の山芋栽培装置の新芋誘導手段の付近を示す拡大斜視図である。
【図４】本発明の山芋栽培装置の新芋誘導手段の付近の分解図である
【図５】本発明の山芋栽培装置の新芋誘導手段の付近を示す拡大断面図である。
【図６】本発明の山芋栽培装置の新芋誘導手段の別の例を示す斜視図である。
【図７】本発明の山芋栽培装置の蓋部の他の例を示す断面図である。
【図８】本発明の山芋栽培方法を示す説明図であって、本発明の山芋栽培装置の筒状体を地中に埋設した状態を示す断面図である。
【図９】本発明の山芋栽培方法を示す説明図であって、本発明の山芋栽培装置の筒状体に栽培チューブを挿入した状態を示す断面図である。
【図１０】本発明の山芋栽培方法を示す説明図であって、本発明の山芋栽培装置に蓋部に新芋誘導手段を取り付けた状態を示す断面図である。
【図１１】本発明の山芋栽培方法を示す説明図であって、本発明の山芋栽培装置の新芋誘導手段の上方に種芋を植え付けた状態を示す断面図である。
【図１２】本発明の山芋栽培方法を示す説明図であって、種芋から成長した新芋が栽培チューブ内で成長する状態を示す断面図である。
【図１３】本発明の山芋栽培方法を示す説明図であって、栽培チューブ内で山芋が大きく成長した状態を示す断面図である。
【図１４】本発明の山芋栽培方法を示す説明図であって、山芋を収穫する状態を示す断面図である。
【図１５】本発明の山芋栽培方法を示す説明図であって、山芋を収穫した後の翌年の山芋栽培までの期間の状態を示す断面図である。
【図１６】本発明の山芋栽培方法により栽培された山芋と一般的な栽培方法により栽培された山芋の断面の写真である。右側が本発明の山芋栽培方法により栽培された山芋であり、左側が一般的な栽培方法により栽培された山芋である。
【発明を実施するための形態】
【００１１】
以下、本発明の実施の形態の例について図を参照しながら説明する。尚、本発明は、以下の形態の例に限定されるものではない。
【００１２】
（全体構造）
本発明の山芋栽培装置１は、地中に埋設する筒状体３の内部で山芋を栽培するものである。該筒状体３の両端は開口し、
筒状体３の内部には筒状の栽培チューブ９を備え、
該筒状体３の全長と該栽培チューブ９の全長とは略同一であり、
該栽培チューブ９の一端９ａは該筒状体の一端３ａとは相互に近接し、
該栽培チューブ９の一端９ａと近接する該筒状体３の一端３ａには、透孔１３を有する蓋部５を着脱自在に嵌合させ、
該蓋部５の透孔１３には、一端に新芋受部１７を備えると共に他端に新芋導入孔１５を備えてなる新芋誘導手段７における該新芋導入孔１５が嵌着され、
該新芋導入孔１５の端部２１は該栽培チューブ９の内方に達し、
該新芋受部１７は、該筒状体９の周方向に沿って湾曲した板状体であって上面に開口１９を備える（図１〜図５参照）。
【００１３】
（筒状体の材質、長さ、径）
前記筒状体３は、地中に埋設したまま複数年にわたって使用するものであるから、地中で変形しない強度を有し、腐食や温度等による経年劣化が少ない材質とする。一例として腐食しにくい金属、防錆処理を施した金属、合成樹脂が挙げられ、好ましくは、アルミニウム、防錆処理した鉄、ポリプロピレン、ポリ塩化ビニル、ポリメタクリル酸エステル、ポリスチレン、ポリテトラフルオロエチレン、ポリエチレンテレフタレート、ポリアミド、ポリカーボネートなどとする。市販のポリ塩化ビニル製パイプを加工して用いてもよい。
【００１４】
筒状体３の断面形状は、特に限定はなく、略円形、略楕円形、略多角形などとし、好ましくは略円形とする。該筒状体３の長さは、栽培する山芋の長さにより長いものとし、栽培する山芋に応じて適切なものを選択すればよい。筒状体３の内径は、栽培する山芋が成長する太さに応じて適切なものを選択すればよい。後述するとおり、本発明の山芋栽培装置１を用いて山芋を栽培する場合、山芋の収穫は、該栽培チューブ９を筒状体３から引き抜いて行うことから、筒状体３の内径は、該栽培チューブ９内で山芋が最も成長した際の該栽培チューブ９の外径より大きいものとする。一例として、筒状体３の内径は、該栽培チューブ９内で山芋が最も成長した際の該栽培チューブ９の外径より約１５ｍｍ〜約２０ｍｍ大きいものとする。
【００１５】
前記栽培チューブ９は、該筒状体３の内部に備えさせるものであり、可撓性で不透水性を有するものが好ましい。また、後述するとおり、本発明の山芋栽培装置１を用いて山芋を栽培する場合、山芋の収穫は、該栽培チューブ９を筒状体３から引き抜いて行うことから、該栽培チューブ９は山芋栽培期間中の劣化等により破損しない材質であることが好ましい。該栽培チューブ９の材質は、一例として、ポリエチレン、ポリプロピレン、ポリ塩化ビニリデン、ポリテトラフルオロエチレンなどの合成樹脂が挙げられる。
【００１６】
該栽培チューブ９の全長は、一例として該筒状体３の全長と略同一とする。栽培チューブ９の内径は、栽培する山芋が成長する太さに応じて適切なものを選択すればよい。後述するとおり、本発明の山芋栽培装置１を用いて山芋を栽培する場合、該栽培チューブ９の内部に用土を入れて山芋を成長させることから、該栽培チューブ９の内径は、山芋が最も成長した際の山芋の外径より大きくするのが好ましい。
【００１７】
該栽培チューブ９は筒状であり、該栽培チューブ９の一端９ａは該筒状体３の一端３ａと近接せしめる。後述するとおり、新芋受部１７における新芋導入孔１５の端部２１は、該一端９ａを通過して該栽培チューブ９の内方に達するものであることから、一例として、一端９ａには該端部２１が貫通する大きさ保持させる保持手段を備えさせる。該保持手段は特に限定はなく、一例として、該栽培チューブ９の一端に可撓性を有するガイド１１を挿入するなどする（図４参照）該保持手段の他の例としては、蓋部５の透孔１３の外周であって、該蓋部５を該筒状体３に嵌合した場合に該筒状体３の内方に当たる位置に栽培チューブ９の一端９ａが嵌合する突設部２５を設けるなどする（図７参照）。
【００１８】
透孔１３を有する蓋部５は、該筒状体３の一端３ａに着脱自在に嵌合させる。該蓋部５を該筒状体３に嵌合させることにより、本発明の山芋栽培装置１を用いて山芋を栽培する場合に、該筒状体３の内部に土が浸入するのを防ぐことができる（図１〜５参照）。
【００１９】
該蓋部５において透孔１３を設ける位置は特に限定はなく、一例として該蓋部の略辺縁部とする（図４参照）。透孔１３の内径は、一例として、新芋誘導手段７における新芋導入孔１５は外径が嵌着可能な大きさとする。
【００２０】
前記新芋誘導手段７は、一端に新芋受部１７を備えると共に他端に新芋導入孔１５を備える。該新芋導入孔１５は蓋部５の透孔１３に嵌着され、該新芋導入孔１５は該透孔１３を貫通して端部２１は該栽培チューブ９の内方に達する。該新芋受部１７は、該筒状体９の周方向に沿って湾曲した板状体であって、上面に開口１９を備える。一例として、該新芋誘導手段７は開口１９の縁１９ａから新芋導入孔１５の端部２１に向かって徐々に小径となるように形成するなどする。図６のように、新芋誘導手段７は、合成樹脂などの可撓性を有する平板２３を丸めて両角を重ねるなどすることにより、簡便に作成することができる。
【００２１】
新芋誘導手段７における新芋導入孔１５の端部２１の内径は、本発明の山芋栽培装置１を使用して山芋６３を栽培する場合に、種芋４５から成長した新芋５７が通過できる内径とする必要はあるが、該新芋導入孔１５から栽培チューブ９の内部に栽培土５１ができるだけ入らないようにするために、新芋５９と端部２１との間隙はなるべく小さくするのが好ましい（図１２、１３参照）。栽培土５１が栽培チューブ９の内部に浸入することを防ぐことにより、該栽培土５１に含まれる線虫や病原菌により栽培チューブ９の内部で成長する山芋に被害が及ぶことを予防できる。一例として、自然薯の場合、該端部２１の内径は、上限約２０ｍｍ、下限約１５ｍｍとする。
【００２２】
次に、本発明の山芋栽培装置１を用いた山芋の栽培方法の例について説明する。
【００２３】
両端が開口した筒状体３を、該筒状体３の一端３ａを地表面３３から突出させ、他端３ｂが低くなるように傾けて地中３１に埋設する。一例として筒状体３と水平面３５との角度４３は、上限約３５度、下限約１５度とする。（図８参照）。
【００２４】
）
該筒状体の全長と略同一の全長を有する筒状の栽培チューブ９には、上限３０質量％、下限８質量％の水分を含む用土３９を平板状に充填する。好ましくは、用土３９は略均一の厚さとし、平板状の用土３９と栽培チューブ９とを密接させる。用土３９の厚さは、一例として上限約２０ｍｍ、下限約８ｍｍとする。用土３９は、一例として、山芋の生育に悪影響を及ぼす腐敗菌や線虫などが混入していないものを使用し、好ましくは、用土３９に加熱処理を施すなどする。
【００２５】
該用土３９を充填した栽培チューブ９を、その一端９ａが該筒状体３の地表面３３から突出した一端３ａと近接するように、該筒状体３の内部に挿入する。該一端９ａには、前述のとおり、一例として、ガイド１１を嵌合させるなどする。水分を含んだ用土３９は、一端９ａの付近を除き栽培チューブ９の内面と密接していることから栽培チューブ９内を下降しない。そのため、用土３９は、栽培チューブ９の内部で略均一な厚みを持ったままの状態を保持することができる（図９参照）。
【００２６】
該筒状体３の地表から突出した一端３ａに透孔１３を有する蓋部５を嵌合させる。この際、一例として、該透孔１３は栽培チューブ９の一端９ａと連通するようにする（図１０参照）。
【００２７】
該蓋部５の透孔１３には、一端に新芋受部１７を備えると共に他端に新芋導入孔１５を備えてなる新芋誘導手段７における該新芋導入孔１５を嵌着し、該新芋導入孔１５の端部２１が該栽培チューブ９の内方にまで達するようにする（図１０参照）。
【００２８】
該筒状体３の周方向に沿って湾曲した板状体であって上面に開口１９を備える新芋受部１７の上方に種芋４５を植え付ける。種芋４５は発芽球４７が新芋受部１７の上方に位置するように植え付けする。一例として、該新芋受部１７を用土９で覆い、その上に種芋４５を載置し、その後に該種芋４５を用土９で覆うなどして該種芋４５の植え付けをする。その際、発芽球４７を新芋受部１７の上方に位置させるために、該新芋受部１７の中央部付近に目印の棒を立てるなどする。用土９は、前述のとおり、一例として、山芋の生育に悪影響を及ぼす腐敗菌や線虫などが混入していないものを使用する。山芋の生育に悪影響を及ぼす腐敗菌や線虫などが混入していない用土９で新芋受部１７を覆うことにより、筒状体３の内部に山芋の生育に悪影響を及ぼす腐敗菌や線虫などが浸入することを予防することができる（図１１参照）。
【００２９】
該種芋４５の上方を栽培土５１で覆い山芋を栽培する。植え付けた種芋４５が移動しないように注意しながら、栽培土５１で覆って畝５３にする（図１１参照）。筒状体３の一端３ａは蓋部５で覆われ、該蓋部５の透孔１３には新芋導入孔１５が嵌着されているため、筒状体３を栽培土５１で埋設したとしても、筒状体３の内部に栽培土５１が浸入することはほとんどない。尚、山芋の栽培は、一例として通常の栽培方法に従って行えばよい。
【００３０】
栽培土５１に埋設された種芋４５の発芽球４７からは栄養吸収根５５、新芽５７、新芋５９が成長する。栄養吸収根５５は細い根であり地表近くを延伸する。地表からは新芽５７が芽を出す。新芋５９は、重力方向（下方向）に伸長し、新芋受部１７に到達する。新芋受部１７に到達した新芋５９は、該新芋受部１７の湾曲した部分に阻まれて該新芋受部１７の外方に伸長できず、下方に傾いた新芋導入孔１５に誘導されて伸長していき、該新芋導入孔の端部２１を通過して栽培チューブ９の内部に入って伸長する（図１２参照）。一例として、該新芋受部１７を用土９で覆い、開口１９の縁１９ａより上方に種芋４５を植え付けた場合、地表近くを延伸する栄養吸収根５５は開口１９の縁１９ａより上方を延伸していく。その結果、栄養吸収根５５は該新芋受部１７から該新芋導入孔１５を通って栽培チューブ９の内部に浸入することを防ぐことができる。種芋４５の植え付け後、水やりや施肥などを行い、蔓６１のネットを設けるなどすることにより、栽培チューブ９の内部で新芋５９は山芋６３に成長する（図１３参照）。
【００３１】
本発明の栽培方法によると、栽培チューブ９の内部に栽培土５１が入ることがほとんどないので、栽培中の山芋６３が栽培土５１の中の線虫や病原菌により被害を受けることを防止でき、良質の山芋を栽培することができる。栽培チューブ９は筒状であるため、栽培中の水やりにより栽培チューブ９内に水が溜まることがなく、栽培チューブ内の山芋６３が根腐れなどをすることを防ぐことができる。また、筒状体３の内部で成長することから、地中３１の石や土の重みの影響を受けて山芋６３が変形することがなく、断面が略円形の良質な山芋６３を栽培することができる（図１６参照）。
【００３２】
山芋の収穫時期の到来に合わせ山芋６３を収穫する。成長した山芋６３の収穫に当たっては、蔓６１や栄養吸収根５５を取り除き、畝５３を形成する栽培土５１や用土３９を取り除いて筒状体３の一端３ａを地表面３３から突出させる。その後、新芋受部７及び蓋部５を外し、筒状体３の内方の栽培チューブ９を引き出すだけで、該栽培チューブ９の内部で成長した山芋６３を収穫することができる。蓋部５が筒状体３の一端３ａを覆っていたことにより、筒状体３の内部には土がほとんどないため、栽培チューブ９が該筒状体３の内部で栽培土５１に埋もれることはないので、山芋６３が入った栽培チューブ９を筒状体３から容易に引き抜くことができ、短時間で簡単に収穫できる（図１４参照）。
【００３３】
栽培チューブ９を引き抜いた後の筒状体３は、地中３１に埋設したまま翌年の山芋栽培に使用する。該筒状体３の一端３ａは、蓋部５を嵌合させておくことにより、種芋の植え付けまでの間に該筒状体３の内部に、落ち葉、土などが浸入して筒状体の内部が埋まってしまうことを防止できる。一例として、該筒状体３の一端３ａをビニールシート６５などでカバーした上から蓋部５を嵌合させることにより、透孔１３を塞ぐことができ、筒状体３の内部への落ち葉、土などの浸入をさらに防止することができる（図１５参照）。
【００３４】
山芋の植え付け時が到来すると、地中に埋設しておいた筒状体３の蓋部５を外し、前述の用土３９を充填した栽培チューブ９を筒状体３に挿入するなど本発明の栽培方法の工程に従って山芋を栽培する。山芋は連作障害が起こらないので、地中に埋設した該筒状体３は、複数年にわたって繰り返し使用することができ、山芋栽培装置にかかる費用を抑えることができる。種芋の植え付け作業においては、該筒状体３を埋設する工程を省略することができ、植え付け作業を短時間で労力をかけずに行うことができる
【符号の説明】
【００３５】
１  山芋栽培装置
３  筒状体
３ａ  一端
３ｂ  他端
５  蓋部
７  新芋誘導手段
９  栽培チューブ
９ａ  一端
１１  ガイド
１３  透孔
１５  新芋導入孔
１７  新芋受部
１９  開口
１９ａ  縁
２１  端部
２３  平板
２５  突設部
３１  地中
３３  地表面
３５  水平面
３７  最上端
３９  用土
４１  上端
４３  角度
４５  種芋
４７  発芽球
５１  栽培土
５３  畝
５５  栄養吸収根
５７  新芽
５９  新芋
６１  蔓
６３  山芋
６５  ビニールシート
【図１】
2020137441.tif 000003
【図２】
2020137441.tif 000004
【図３】
2020137441.tif 000005
【図４】
2020137441.tif 000006
【図５】
2020137441.tif 000007
【図６】
2020137441.tif 000008
【図７】
2020137441.tif 000009
【図８】
2020137441.tif 000010
【図９】
2020137441.tif 000011
【図１０】
2020137441.tif 000012
【図１１】
2020137441.tif 000013
【図１２】
2020137441.tif 000014
【図１３】
2020137441.tif 000015
【図１４】
2020137441.tif 000016
【図１５】
2020137441.tif 000017
【図１６】
2020137441.tif 000018